(57)【特許請求の範囲】
【請求項１】
上下翼板(11,12) を有するスライダー胴体(10)の前記上翼板(11)の上面に、引手(5) を保持する引手取付杆(20)が片持状に一体に形成され、前記引手取付杆(20)は、前記上翼板(11)から起立する固定端部(21)と、前記上翼板(11)との間に前記引手(5) の一部を挿通可能な挿通間隙(25)が設けられる自由端部(23)とを有し、前記挿通間隙(25)を閉塞する閉塞部材(30)が前記スライダー胴体(10)に配されるスライドファスナー用スライダー(1) であって、
前記スライダー胴体(10)は、前記上翼板(11)の上面に凹設され、前記閉塞部材(30)の一部が装着されて当該閉塞部材(30)が不動に固定される凹溝(11a) を有し、
前記凹溝(11a) は、前記引手取付杆(20)の前記自由端部(23)に対向して、前記上翼板(11)の後口側となる後端から前方に向けて配され、
前記閉塞部材(30)は、前記凹溝(11a) に装着される本体部(31)と、前記本体部(31)から延設され、上下方向に弾性変形可能な弾性片部(32)と、前記弾性片部(32)の上面に隆起する隆起部(33)とを有し、
前記引手取付杆(20)は、前記自由端部(23)に配され、前記凹溝(11a) に装着された前記閉塞部材(30)の前記隆起部(33)を抜脱可能に係着して同閉塞部材(30)を固定する段差部(23a) を有し、
前記弾性片部(32)は、前記閉塞部材(30)の固定時に、同弾性片部(32)の一部が前記引手取付杆(20)の前記自由端部(23)に接触又は近接して配され、
前記閉塞部材(30)の固定時に、前記挿通間隙(25)の閉塞状態を保持し、前記挿通間隙(25)に他部材が侵入することを防止可能な閉塞保持構造が備えられ、
前記閉塞保持構造は、前記弾性片部(32)の上下方向における弾性変形量が、前記隆起部(33)の上端が前記段差部(23a) の下端の高さ位置まで移動可能な大きさに規制されて構成されてなる、
ことを特徴とするスライドファスナー用スライダー。
【請求項２】
前記閉塞部材(30)は、前記弾性片部(32)を間に挟んで配される一対の肩部(34)を有し、
前記弾性片部(32)及び前記隆起部(33)は、前記一対の肩部(34)の間の領域内に配されてなる、
請求項１記載のスライドファスナー用スライダー。
【請求項３】
前記弾性片部(32)の上面に凹部(32a) が配されてなる請求項１記載のスライドファスナー用スライダー。
【発明の詳細な説明】
【技術分野】
【０００１】
本発明は、スライドファスナーに用いられるスライダーに関し、特に、スライダー胴体を作製した後に、同スライダー胴体に引手を後から取り付けるタイプのスライドファスナー用スライダーに関する。
【背景技術】
【０００２】
スライドファスナーに用いられるスライダーの１つとして、スライダー胴体を作製した後に、同スライダー胴体に引手を後から取り付けることが可能なスライダーが従来から知られている。このようなスライダーは、例えばユーザーの要求や好みなどに応じて、色や形態が異なる各種タイプの引手をスライダー胴体に自由に取り付けられるため、例えば衣料品や鞄等に取着されるスライドファスナーに好適に用いられている。【０００３】
このような引手の後付けを可能にしたスライドファスナー用スライダーの一例が、例えば特開平１０−２９５４１５号公報（特許文献１）、実用新案登録第３０７０２１３号公報（特許文献２）、及び実用新案登録第３０７８０６２号公報（特許文献３）などに開示されている。ここで、前記特許文献１に記載されているスライダーについて、図２０を参照しながら説明する。【０００４】
この特許文献１に記載されているスライダー１０１は、スライダー胴体１１０と、スライダー胴体１１０に取り付けられる引手１２０と、スライダー胴体１１０の高さ方向に穿設された孔部１１７に収容されるストッパー（閉塞部材）１３０及び弾性部材１４０と、スライダー胴体１１０に加締め固定され、弾性部材１４０を支持する平板状の支持板１５０とを有している。【０００５】
前記スライダー胴体１１０は、上下翼板１１１，１１２と、上下翼板１１１，１１２の前端部を連結する案内柱１１３と、上下翼板１１１，１１２の左右側縁に配された上下フランジ１１４と有している。また、上翼板１１１の上面には、片持状に立設された引手取付杆１６０がスライダー胴体１１０に一体成形されている。この場合、引手取付杆１６０の一端部が、上翼板１１１に固定された固定端部となり、他端部は、上翼板１１１の上面との間に間隙を設けて配された自由端部１６１となる。ここで、上翼板１１１の上面と引手取付杆１６０の自由端部１６１との間に配される間隙は、後述するように、引手１２０を引手取付杆１６０に取り付けるときに引手１２０の一部を挿通させるための挿通間隙となる。【０００６】
このスライダー胴体１１０の前端には、案内柱１１３を間に挟んで左右の肩口が形成され、スライダー胴体１１０の後端には後口が形成されている。更に、上下翼板１１１，１１２間には、左右の肩口と後口とを連通するＹ字形状のエレメント案内路１１５が形成されている。【０００７】
同スライダー胴体１１０において、上翼板１１１の上面には、上翼板１１１の前端縁から後方に向けて凹部１１６が形成されており、この凹部１１６は、引手取付杆１６０の自由端部１６１の下方側に、同自由端部１６１よりも広い範囲に配されている。【０００８】
また、スライダー胴体１１０の案内柱１１３が配されている前端部には、上翼板１１１の上面から下翼板１１２の下面にかけて上下方向に貫通する孔部１１７が穿設されており、この孔部１１７の下端には、前記支持板１５０を嵌入可能な段部が設けられている。更に、下翼板１１２における孔部１１７の前後の位置には、前記支持板１５０を加締め固定することが可能な突片部１１８が垂設されている。【０００９】
特許文献１における引手１２０は、引手本体部１２１と、上翼板１１１と引手取付杆１６０との間に形成される収容空間に挿入される取付軸部１２２とを有している。
特許文献１におけるストッパー１３０の上端部には傾斜面１３１が形成されている。この傾斜面１３１は、ストッパー１３０がスライダー胴体１１０に嵌入されたときに、前方へ下り傾斜するように配される。また、同ストッパー１３０の下端面には、弾性部材１４０を挿入可能な図示しない円孔部が形成されている。【００１０】
上述のような部品を有する特許文献１のスライダー１０１を組み立てる場合、先ず、スライダー胴体１１０に穿設された孔部１１７内にストッパー１３０を所定の向きに挿入し、このストッパー１３０の下方に弾性部材１４０を配置する。このとき、弾性部材１４０の上端がストッパー１３０の図示しない円孔部に嵌入される。【００１１】
続いて、弾性部材１４０の下端に支持板１５０を当接させた状態で、同支持板１５０を孔部１１７の下端に配した段部に嵌入し、更に、下翼板１１２から垂設された突片部１１８を支持板１５０に向けて加締めることにより、支持板１５０がスライダー胴体１１０に固定される。これにより、ストッパー１３０、弾性部材１４０、及び支持板１５０がスライダー胴体１１０に装着される。【００１２】
このとき、ストッパー１３０は、弾性部材１４０によって上方に付勢されるため、ストッパー１３０の上端が引手取付杆１６０の自由端部１６１に当接し、上翼板１１１に形成した凹部１１６の底面と引手取付杆１６０の自由端部１６１との間に設けられる間隙（挿通間隙）が閉塞された状態となる。【００１３】
次に、ストッパー１３０、弾性部材１４０、及び支持板１５０が装着されたスライダー胴体１１０に引手１２０を取り付ける。具体的には、引手１２０の取付軸部１２２を、スライダー胴体１１０の前端側から、上翼板１１１に形成された凹部１１６と引手取付杆１６０の自由端部１６１との間に挿入し、その取付軸部１２２をストッパー１３０の傾斜面１３１に当接させ、更に、同取付軸部１２２をストッパー１３０に向けて押し込む。【００１４】
これにより、ストッパー１３０は弾性部材１４０の付勢力に抗して下方に移動するため、上翼板１１１の凹部１１６底面と引手取付杆１６０の自由端部１６１との間の挿通間隙が開口し、この開口した挿通間隙を介して、引手１２０の取付軸部１２２が、上翼板１１１と引手取付杆１６０との間に形成される収容空間に導入されて、同収容空間内に収容される。【００１５】
引手１２０の取付軸部１２２が収容空間に導入された後、ストッパー１３０は、弾性部材１４０により付勢されて上方に移動するため、ストッパー１３０の上端が引手取付杆１６０の自由端部１６１に当接して、挿通間隙が再び閉塞された状態となる。これにより、引手１２０が引手取付杆１６０に取着されたスライダー１０１を得ることができる。【００１６】
このような特許文献１のスライダー１０１であれば、スライダー胴体１１０の上翼板１１１に形成した凹部１１６を利用して、引手取付杆１６０が一体に形成されたスライダー胴体１１０に引手１２０を簡易に且つ円滑に取り付けることができる。【００１７】
しかも、同スライダー１０１は、上翼板１１１の上面と引手取付杆１６０の自由端部１６１との間の間隔が小さくなるため、引手１２０が引手取付杆１６０に一旦取着された場合、引手１２０の取付軸部１２２を、上翼板１１１における凹部１１６の底面と引手取付杆１６０の自由端部１６１との間の間隙に入り込み難くすることができる。【００１８】
これにより、引手１２０が例えばスライダー１０１の操作等により引っ張られたときに、引手１２０の取付軸部１２２がストッパー１３０に当接して同ストッパー１３０を押圧する可能性を小さくできる。このため、使用者が意図していないにも関わらず、引手１２０が引手取付杆１６０から勝手に外れてしまうという不具合が生じることを防止できる。【００１９】
一方、前記特許文献２及び前記特許文献３に開示されているスライダーは、スライダー胴体における上翼板の上面と引手取付杆の自由端部との間に、引手の取付軸部を挿通させることが可能な挿通間隙が設けられており、この挿通間隙を閉塞する閉塞部材として板バネ部材が用いられている。【００２０】
このようなスライダーにおいて、板バネ部材からなる閉塞部材をスライダー胴体に装着して前記挿通間隙を閉塞した後に、そのスライダー胴体に配した引手取付杆に引手を取り付ける場合には、引手の取付軸部で閉塞部材を押圧することにより、同閉塞部材が弾性変形して前記挿通間隙を容易に開口させることができる。これにより、引手の取付軸部は、開口した前記挿通間隙を介して、上翼板と引手取付杆との間の引手収容空間に円滑に導入されるため、引手の取り付けを容易に行うことができる。
【先行技術文献】
【特許文献】
【００２１】
【特許文献１】特開平１０−２９５４１５号公報
【特許文献２】実用新案登録第３０７０２１３号公報
【特許文献３】実用新案登録第３０７８０６２号公報
【発明の概要】
【発明が解決しようとする課題】
【００２２】
前記特許文献１〜前記特許文献３に記載されているスライダーでは、上述のように、スライダー胴体にストッパー又は閉塞部材を装着して、スライダー胴体の上翼板と引手取付杆の自由端部との間に配される挿通間隙を閉塞させる。その後、ストッパーを弾性部材の付勢力に抗して移動させること、又は閉塞部材自体を弾性変形させることなどによって閉塞状態にある挿通間隙を開口させ、更に、その開口した挿通間隙を介して引手の取付軸部を引手収容空間に導入する。これにより、スライダー胴体に配された引手取付杆に、引手を後から取り付けることが可能となる。【００２３】
しかしながら、このように引手の後付けを行うことが可能な従来のスライダーの場合、同スライダーを有するスライドファスナーが衣類や鞄類等の製品に取り付けられて使用されるときに、スライダーの周辺部に偶然に存在した薄手の布片等のような他部材が、スライダーの前記挿通間隙に入り込んで、同挿通間隙に挟まれるという問題が生じることあった。【００２４】
具体的に説明すると、例えばスライドファスナーが衣服に使用される場合、その衣服を着衣して運動をしたとき等に、薄手の布片などの他部材が、何かのはずみでスライダーの外部から前記挿通間隙に向けて挿入されることがある。或いは、例えばスライドファスナーが鞄に使用される場合にあっても、その鞄を移動させるときや、スライドファスナーのスライダーを摺動させて鞄の開口部を開閉するとき等に、薄手の布片などの他部材が、何かのはずみでスライダーの前記挿通間隙に向けて挿入されることがある。【００２５】
この場合、スライダーの前記挿通間隙はストッパー又は閉塞部材によって閉塞されている状態に保持されているものの、その挿通間隙に挿入された他部材が、スライダーのストッパー又は閉塞部材を直接押圧して挿通間隙を開口させながら同挿通間隙内に入り込む。更に、その押圧されたストッパー又は閉塞部材が元の閉塞状態に戻ろうとする力によって、ストッパー又は閉塞部材と引手取付杆の自由端部との間に他部材が挟み込まれる（噛み込まれる）ことがあった。【００２６】
そして、上述のようにスライダーに薄手の他部材が挟み込まれることによって、衣類や鞄類がその他部材によって引っ張られるといった不具合や、スライダーの摺動操作が他部材によって妨げられるといった不具合が生じるため、このような不具合を解消することが求められていた。【００２７】
本発明は上記従来の課題に鑑みてなされたものであって、その具体的な目的は、スライダー胴体に配された引手取付杆に引手を後から容易に取り付けることができ、且つ、薄手の布片のような他部材が、スライダー胴体の上翼板と引手取付杆の自由端部との間に挟み込まれることを防止できるスライドファスナー用スライダーを提供することにある。
【課題を解決するための手段】
【００２８】
上記目的を達成するために、本発明により提供されるスライドファスナー用スライダーは、基本的な構成として、上下翼板を有するスライダー胴体の前記上翼板の上面に、引手を保持する引手取付杆が片持状に一体に形成され、前記引手取付杆は、前記上翼板から起立する固定端部と、前記上翼板との間に前記引手の一部を挿通可能な挿通間隙が設けられる自由端部とを有し、前記挿通間隙を閉塞する閉塞部材が前記スライダー胴体に配されるスライドファスナー用スライダーであって、前記スライダー胴体は、前記上翼板の上面に凹設され、前記閉塞部材の一部が装着されて当該閉塞部材が不動に固定される凹溝を有し、前記凹溝は、前記引手取付杆の前記自由端部に対向して、前記上翼板の後口側となる後端から前方に向けて配され、前記閉塞部材は、前記凹溝に装着される本体部と、前記本体部から延設され、上下方向に弾性変形可能な弾性片部と、前記弾性片部の上面に隆起する隆起部とを有し、前記引手取付杆は、前記自由端部に配され、前記凹溝に装着された前記閉塞部材の前記隆起部を抜脱可能に係着して同閉塞部材を固定する段差部を有し、前記弾性片部は、前記閉塞部材の固定時に、同弾性片部の一部が前記引手取付杆の前記自由端部に接触又は近接して配され、前記閉塞部材の固定時に、前記挿通間隙の閉塞状態を保持し、前記挿通間隙に他部材が侵入することを防止可能な閉塞保持構造が備えられ、前記閉塞保持構造は、前記弾性片部の上下方向における弾性変形量が、前記隆起部の上端が前記段差部の下端の高さ位置まで移動可能な大きさに規制されて構成されてなることを最も主要な特徴とするものである。
【００３１】
更に、前記閉塞部材は、前記弾性片部を間に挟んで配される一対の肩部を有し、前記弾性片部及び前記隆起部は、前記一対の肩部の間の領域内に配されていることが好ましい。更にまた、前記弾性片部の上面に凹部が配されていることが好ましい。
【発明の効果】
【００３６】
本発明に係るスライドファスナー用スライダーでは、スライダー胴体の上翼板上面に引手取付杆が片持状に一体に形成されており、上翼板と引手取付杆の自由端部との間に形成される挿通間隙を閉塞する閉塞部材が、スライダー胴体の装着部に係着して不動に固定されている。また、同スライダーでは、閉塞部材がスライダー胴体の装着部に固定されたときに、挿通間隙の閉塞状態を保持して挿通間隙に他部材が侵入することを防止可能な閉塞保持構造が備えられている。【００３７】
このような構成を有する本発明のスライダーによれば、引手取付杆を一体に有するスライダー胴体を形成した後に、引手の一部を上翼板と引手取付杆の自由端部との間に設けられた挿通間隙に挿通させることにより、同引手を引手取付杆に保持させることができる。更にその後、スライダー胴体の装着部に閉塞部材を装着して固定することによって、前記挿通間隙が閉塞されて、引手の取り付けが完了する。このように、本発明のスライダーでは、スライダー胴体に配された引手取付杆に引手を後から容易に取り付けることができる。【００３８】
しかも、本発明のスライダーは閉塞保持構造を備えていることにより、引手が取り付けられて閉塞部材がスライダー胴体に装着して不動に固定された後には、上翼板と引手取付杆の自由端部との間に設けられた挿通間隙の閉塞状態を保持することができる。これにより、薄手の布片のような他部材が、上翼板と引手取付杆の自由端部との間に侵入して挟み込まれることを確実に防ぐことができる。【００３９】
このため、同スライダーを有するスライドファスナーが衣類や鞄類等の製品に取り付けられて使用された場合に、スライダーに他部材が挟み込まれることに起因する不具合、例えば衣類や鞄類が他部材によって引っ張られたり、スライダーの摺動操作が他部材によって妨げられたりすることを防止できる。【００４０】
なお、本発明で言う挿通間隙の閉塞状態とは、閉塞部材がスライダー胴体の上翼板と引手取付杆の自由端部との間に位置することにより、挿通間隙が閉塞部材で完全に塞がれて、スライダー胴体の上翼板と引手取付杆の間に形成される引手の取付軸部の収容空間が遮断された状態のことを言う。【００４１】
また、本発明のスライダーにおいて、引手を引手取付杆に取り付ける方法は特に限定されるものではない。例えば上述のように、引手を引手取付杆に保持させてから、スライダー胴体の装着部に閉塞部材を装着して固定することによって引手の取り付けを行うことができる。またその他に、引手を引手取付杆に保持させる前にスライダー胴体の装着部に閉塞部材を装着し、その後、挿通間隙を介して引手を引手取付杆に保持してから、閉塞部材をスライダー胴体に固定することによって、引手の取り付けを行うことも可能である。【００４２】
このような本発明のスライダーにおいて、前記引手取付杆は、装着部に装着された閉塞部材の少なくとも一部を係着して同閉塞部材を固定する固定部を自由端部に有する。また、前記閉塞部材は、装着部に装着される本体部と、本体部から延設され、上下方向に弾性変形可能な弾性片部と、弾性片部に配され、固定部に係脱可能な係脱部とを有する。更に、前記閉塞保持構造は、弾性片部の上下方向における弾性変形が規制されることにより構成されている。【００４３】
引手取付杆、閉塞部材、及び閉塞保持構造が上述のように構成された本発明のスライダーであれば、閉塞部材の弾性片部を弾性変形させて同閉塞部材の係脱部を引手取付杆の固定部に係止させることにより、装着部に装着された閉塞部材を所定の位置に安定して固定することができる。また、同スライダーにおいて、弾性片部の上下方向における弾性変形が規制されることによって閉塞保持構造が構成されていることにより、上述のようにして閉塞部材が装着部に固定されたときに、閉塞部材が挿通間隙を閉塞している状態を容易に保持することができる。【００４４】
この場合、前記固定部は、自由端部に配された段差部によって構成され、前記弾性片部は、同弾性片部の一部が引手取付杆の自由端部に接触又は近接して配され、前記係脱部は、弾性片部の上面に隆起する隆起部により構成されている。更に、前記閉塞保持構造は、弾性片部の弾性変形量が、隆起部の上端が段差部の下端の高さ位置まで移動可能な大きさに規制されて構成されている。これにより、本発明のスライダーに固定部及び係脱部を容易に設けることができ、また、閉塞部材が装着部に固定されたときに、閉塞保持構造によって挿通間隙の閉塞状態を安定して保持することができる。【００４５】
特にこの場合、本発明の装着部が、上翼板の上面に配された凹溝により構成されていることにより、同装着部に閉塞部材を容易に且つ安定して装着することができる。【００４６】
更に本発明では、前記閉塞部材が、弾性片部を間に挟んで配される一対の肩部を有し、前記弾性片部及び前記隆起部が、閉塞部材の側面側から見たときに、肩部の領域内に配されている。ここで、弾性片部及び隆起部が肩部の領域内に配されるとは、弾性片部及び隆起部が、肩部の前後及び上下の端縁よりも内側に配され、閉塞部材の側面側から見たときに弾性片部及び隆起部が肩部によって隠されることを言う。これにより、一対の肩部は弾性片部及び隆起部よりも大きな範囲に張り出して形成されるため、肩部によって弾性片部及び隆起部を保護することができる。【００４７】
従って、閉塞部材が装着部に固定されているときに、例えば閉塞部材に他部材が外側から衝突したり、又は閉塞部材に引手が内側から衝突したりしても、閉塞部材の弾性片部に他部材が当たることを防いで、閉塞部材の係脱部が引手取付杆の固定部に係止されている状態を保持して、閉塞部材が不動に固定されて挿通間隙が閉塞されている状態を安定して維持することができる。【００４８】
更にまた、本発明では、前記弾性片部の上面に凹部が配されている。
例えば引手取付杆に取着された引手の交換等をするために、閉塞部材の係脱部が引手取付杆の固定部に係止されている状態を解除して、閉塞部材を装着部から抜脱させることがある。このような場合に、弾性片部の上面に凹部が配されていることにより、同凹部に棒状の押圧部材を挿入した状態で同押圧部材によって弾性片部を容易に押圧することができるため、その押圧部材で弾性片部を下方に弾性変形させて係脱部と固定部の係止状態を確実に解除することができる。【００４９】
一方、本発明のスライダーでは、前記固定部は、引手取付杆の自由端部から突出した突起部により構成され、前記弾性片部は、本体部から引手取付杆の自由端部に向けてＳ字状に湾曲して配され、前記係脱部は、弾性片部の先端部に穿設された孔部により構成されていても良い。また、前記閉塞保持構造は、前記孔部に前記突起部が挿入されて弾性片部の先端部が自由端部に固定されることにより、弾性片部の弾性変形が規制されて構成されていても良い。これによっても、本発明のスライダーに固定部及び係脱部を容易に設けることができ、また、閉塞部材が装着部に固定されたときに、閉塞保持構造によって挿通間隙の閉塞状態を安定して保持することができる。【００５０】
この場合、前記装着部は、上翼板の上面に配されたアリ溝により構成されていることにより、同装着部に閉塞部材を容易に且つ安定して装着することができる。
更に、前記閉塞部材が、同閉塞部材の本体部から二股に分岐して延設され、スライダー幅方向に弾性変形可能な一対の脚部と、脚部の先端に互いに離間する方向に突出した突片部とを有するとともに、前記上翼板の上面には、装着部に装着された閉塞部材の突片部を係止する一対の突部が突設されている。同スライダーがこのような構成を有することにより、装着部に装着された閉塞部材を更に安定して固定することができる。【００５１】
また、本発明のスライダーにおいて、前記閉塞部材は、装着部に装着される本体部と、本体部の上面に立設され、閉塞部材の装着固定時に引手取付杆の自由端部に接触する閉塞部とを有する。また、前記閉塞保持構造は、閉塞部材の閉塞部により構成されている。このような構成を有する本発明のスライダーであれば、閉塞部材がスライダー胴体の装着部に固定されたときに、閉塞部材の閉塞部によって挿通間隙が確実に閉塞されるとともに、その挿通間隙の閉塞状態を安定して保持することができる。【００５２】
この場合、前記装着部は、上翼板の上面に配されたアリ溝により構成されていることにより、同装着部に閉塞部材を容易に且つ安定して装着することができる。
更に、前記閉塞部材が、同閉塞部材の本体部から二股に分岐して延設され、スライダー幅方向に弾性変形可能な一対の脚部と、脚部の先端に互いに離間する方向に突出した突片部とを有するとともに、前記上翼板の上面には、装着部に装着された閉塞部材の突片部を係止する一対の突部が突設されている。同スライダーがこのような構成を有することにより、装着部に装着された閉塞部材を安定して固定することができる。
【図面の簡単な説明】
【００５３】
【図１】図１は、本発明の実施例１に係るスライドファスナー用スライダーの分解斜視図である。
【図２】図２は、同スライダーにおける閉塞部材を示す斜視図である。
【図３】図３は、同閉塞部材の断面図である。
【図４】図４は、同閉塞部材をスライダーの後方から見たときの図である。
【図５】図５は、同スライダーを後方から見たときのスライダー胴体及び引手取付杆を示す部分拡大図である。
【図６】図６は、スライダー胴体及び引手取付杆の部分断面図である。
【図７】図７は、閉塞部材をスライダー胴体に装着する操作を説明する部分断面図である。
【図８】図８は、閉塞部材がスライダー胴体に装着されて固定された状態を示す部分断面図である。
【図９】図９は、閉塞部材をスライダー胴体から抜脱する操作を説明する部分断面図である。
【図１０】図１０は、本発明の実施例２に係るスライドファスナー用スライダーの分解斜視図である。
【図１１】図１１は、同スライダーにおける閉塞部材を示す側面図である。
【図１２】図１２は、同スライダーにおけるスライダー胴体及び引手取付杆の部分断面図である。
【図１３】図１３は、スライダー胴体に閉塞部材を装着する前の状態を示す模式図である。
【図１４】図１４は、スライダー胴体に閉塞部材を装着する操作を説明する模式図である。
【図１５】図１５は、スライダー胴体に閉塞部材が装着された状態を示す模式図である。
【図１６】図１６は、スライダー胴体に閉塞部材が装着された後に、引手を引手取付杆に取り付ける操作を説明する部分断面図である。
【図１７】図１７は、引手が引手取付杆に取り付けられた状態を示す部分断面図である。
【図１８】図１８は、本発明の実施例３に係るスライドファスナー用スライダーにおける閉塞部材を示す斜視図である。
【図１９】図１９は、引手が引手取付杆に取り付けられ、閉塞部材がスライダー胴体に装着されて固定された状態を示す部分断面図である。
【図２０】図２０は、従来のスライダーの分解斜視図である。
【発明を実施するための形態】
【００５４】
以下、本発明の好適な実施の形態について、実施例を挙げて図面を参照しながら詳細に説明する。なお、本発明は、以下で説明する各実施例に何ら限定されるものではなく、本発明と実質的に同一な構成を有し、かつ、同様な作用効果を奏しさえすれば、多様な変更が可能である。
【００５５】
例えば、以下の各実施例で説明するスライダーは、コイル状の連続エレメント列を有するスライドファスナーに使用されるものであるため、フランジが上翼板にのみ配されている。しかし、本発明は、これに限定されるものではなく、例えば単独エレメントが射出成形によりファスナーテープに取着されたスライドファスナーに使用され、上下翼板の両方にフランジが配されたスライダー等についても同様に適用することができる。
【実施例１】
【００５６】
図１は、本実施例１に係るスライドファスナー用スライダーの分解斜視図であり、図２〜図４は、同スライダーにおける閉塞部材を示す図であり、図５及び図６は、同スライダーにおける上翼板及び引手取付杆を示す図である。【００５７】
なお、以下の説明において、スライダー摺動方向を前後方向と規定し、特に、スライダーがスライドファスナーのエレメント列を噛合させるために移動する方向を前方とし、コイル状のエレメント列を分離させるために移動する方向を後方とする。また、スライダーの高さ方向を上下方向と規定し、特に、スライダー胴体に対して引手が取り付けられる側の方向を上方とし、その反対側の方向を下方とする。更に、スライダーの幅方向を左右方向と規定する。【００５８】
本実施例１のスライドファスナー用スライダー１は、図示しない左右一対のファスナーストリンガーの対向端縁に取着したコイル状の連続エレメント列に沿って摺動することにより、左右のエレメント列を噛合させること、及び分離させることが可能なように構成されている。【００５９】
また、同スライダー１は、図１に示すように、スライダー胴体１０と、スライダー胴体１０に片持状に一体に形成された引手取付杆２０と、スライダー胴体１０に装着される閉塞部材３０と、引手取付杆２０に保持される引手５とを備えている。この場合、引手５は、指で摘むことが可能な平板状の引手本体部５ａと、同引手本体部５ａの一端に一体的に形成された環状の取付軸部５ｂとを有している。【００６０】
本実施例１のスライダー１において、スライダー胴体１０、引手取付杆２０及び引手５は、アルミニウム合金、亜鉛合金などの金属材料を使用してダイキャスト成形することによって製造され、閉塞部材３０は、ポリアミド、ポリプロピレン、ポリアセタール、ポリブチレンテレフタレート等の熱可塑性樹脂材料を使用して射出成形することによって製造される。なお、本発明において、これらの部材の材質は特に限定されるものではなく、任意に変更することが可能である。【００６１】
同スライダー１におけるスライダー胴体１０は、互いに略平行に配された上下翼板１１，１２と、上下翼板１１，１２の前端部同士を連結する図示しない案内柱と、上翼板１１の左右側縁から下翼板１２に向けて上下方向に垂設されたフランジ１３とを有している。【００６２】
同スライダー胴体１０の前部には、案内柱を間に挟んで左右の肩口が形成され、スライダー胴体１０の後端には後口が形成されている。また、上下翼板１１，１２間には、左右の肩口と後口とを連通するＹ字状のエレメント案内路１４が形成されている。更に、スライダー胴体１０における上翼板１１の上面側には、上翼板１１の後端（後口側の縁端）から前方に向けて、閉塞部材３０を装着可能な凹溝１１ａが凹設されている。【００６３】
このスライダー胴体１０に一体に形成された引手取付杆２０は、上翼板１１の前端部（スライダー１の前後方向中央よりも前方側）から起立する固定端部２１と、同固定端部２１から屈曲して後方に延びる延設部２２と、同延設部２２から上翼板１１側に屈曲して形成された自由端部２３とを有している。【００６４】
この引手取付杆２０がスライダー胴体１０に一体に形成されていることにより、引手取付杆２０の強度を高めることができる。このため、本実施例１の引手取付杆２０は、例えば引手取付杆がスライダー胴体に加締め固定されている場合に比べて、引手取付杆２０に引手５が取着された後に同引手５が強く引っ張られたときに、その引張り力によって引手取付杆自体が変形することを効果的に防止できる。【００６５】
また本実施例１において、引手取付杆２０は、側面側から見たときに全体として下向きの凹形状を呈し、同引手取付杆２０の延設部２２における下端縁と上翼板１１の上面との間には、引手５の取付軸部５ｂを収容する収容空間２４が形成されている。【００６６】
同引手取付杆２０の自由端部２３は、図５及び図６に示すように、上翼板１１の上面との間に引手５の取付軸部５ｂを挿通させることが可能な挿通間隙２５が形成されるように配されている。また、引手取付杆２０における自由端部２３側の端面（上翼板１１の凹溝１１ａに対面する面）には、段差部２３ａが形成されており、この段差部２３ａは、閉塞部材３０の後述する隆起部３３を係着して閉塞部材３０を固定する固定部として機能する。【００６７】
更に、自由端部２３の後部には面取り部２３ｂが形成されている。これにより、挿通間隙２５を介して引手５の取付軸部５ｂを収容空間２４に導入する際に、引手５の取付軸部５ｂを挿通間隙２５に挿入し易くすることができ、また、上翼板１１の凹溝１１ａに閉塞部材３０を挿入するときに、同閉塞部材３０の後述する弾性片部３２を下方に向けて容易に弾性変形させることが可能となる。【００６８】
本実施例１における閉塞部材３０は、上翼板１１の凹溝１１ａに挿入して装着される本体部３１と、本体部３１から延設され、上下方向に弾性変形可能な弾性片部３２と、弾性片部３２の上面側に配された隆起部３３と、弾性片部３２を間に挟むようにして本体部３１の上面に配された左右一対の肩部３４とを有している。【００６９】
この閉塞部材３０における本体部３１は、上面から見たときに略Ｕ字状を呈するように、左右の側杆部３１ａ，３１ｂと、左右の側杆部３１ａ，３１ｂの前端間を連結する前杆部３１ｃとを有している。この本体部３１は、閉塞部材３０を上翼板１１の凹溝１１ａに挿入したときに、左右の側杆部３１ａ，３１ｂにおける外側側面（即ち、左の側杆部３１ａ，３１ｂにおける左側面、及び右の側杆部３１ａ，３１ｂにおける右側面）が凹溝１１ａの左右側壁面に摺接するように構成されている。また、この本体部３１における前後方向の寸法と、上翼板１１の凹溝１１ａにおける前後方向の寸法とは略同じ大きさに設定されている。【００７０】
同閉塞部材３０における弾性片部３２は、本体部３１の前端に左右方向に沿って配される前杆部３１ｃから上斜め後方に向けて延設されており、閉塞部材３０が上翼板１１の凹溝１１ａに装着されたときに、弾性片部３２における前後方向の略中央部が、引手取付杆２０の自由端部２３に接触（又は近接）するように配されている。また、弾性片部３２の後端部上面には、後述する押圧部材７（図９を参照）を嵌入可能な凹部３２ａが配されている。【００７１】
更に、同弾性片部３２は、前杆部３１ｃに連結する基端部側が主に撓むことによって上下方向に弾性変形するように構成されている。この場合、弾性片部３２の弾性変形量は、閉塞部材３０が上翼板１１の凹溝１１ａに装着されたときに、閉塞部材３０における隆起部３３の上端面３３ａが引手取付杆２０に形成した段差部２３ａの下端の高さ位置まで移動可能な大きさに規制されている。【００７２】
同閉塞部材３０における隆起部３３は、引手取付杆２０の自由端部２３に配された段差部２３ａに係脱可能な係脱部として、弾性片部３２の上面側に隆起して設けられている。この場合、閉塞部材３０における弾性片部３２及び隆起部３３の幅方向の寸法は、引手取付杆２０の段差部２３ａ（特に段差部２３ａの下端面）における幅方向の寸法と同じ大きさに設定されている。【００７３】
また、隆起部３３の後端面３３ｂは、スライダー胴体１０の前後方向に対して直行して形成されている。また、この後端面３３ｂは、閉塞部材３０が後述するように上翼板１１の凹溝１１ａに装着して固定されたときに、引手取付杆２０の段差部２３ａに対応する前後方向の所定位置に配されている。更に、本実施例１において、閉塞部材３０の弾性片部３２及び隆起部３３には、隆起部３３の上端から前方に向けて下り傾斜する前傾斜面３３ｃが形成されている。【００７４】
同閉塞部材３０における左右一対の肩部３４は、弾性片部３２を間に挟むように、本体部３１における左右の側杆部３１ａ，３１ｂに立設されている。この場合、左右の肩部３４の前端面は、本体部３１及び弾性片部３２の前端面と同じ平面上に配されている。また、左右の肩部３４の外側側面（即ち、左の肩部３４における左側面、及び右の肩部３４における右側面）は、左右の側杆部３１ａ，３１ｂにおける外側側面とそれぞれ同じ平面上に配されている。【００７５】
更に、弾性片部３２の後面、上面、及び下面は何れも左右の肩部３４の後面、上面、及び下面よりも内側に形成されており、肩部３４は、閉塞部材３０を側面側から見たときに、閉塞部材３０の弾性片部３２及び隆起部３３が肩部３４の領域内に配されるように、弾性片部３２及び隆起部３３よりも上方及び後方に張り出して形成されている。これにより、弾性片部３２及び隆起部３３を左右の肩部３４で保護し、引手５の取付軸部５ｂやその他の部材等が弾性片部３２や隆起部３３に直接ぶつかり難くすることができる。【００７６】
次に、本実施例１のスライダー１を組み立てる手順について説明する。
先ず、スライダー胴体１０の引手取付杆２０に引手５を保持させる作業を行う。具体的には、引手５の取付軸部５ｂを、上翼板１１の上面と引手取付杆２０の自由端部２３との間に配された挿通間隙２５に、スライダー胴体１０の後方側から導入する。このとき、自由端部２３の後部には、上述のように面取り部２３ｂが形成されているため、引手５の取付軸部５ｂを挿通間隙２５に円滑に導入することができる。【００７７】
その後、引手５の取付軸部５ｂを、挿通間隙２５を介して上翼板１１の上面と引手取付杆２０の延設部２２との間に形成された収容空間２４に移動させて、同収容空間２４内に収容する。これにより、スライダー胴体１０の引手取付杆２０に引手５が保持される。【００７８】
次に、引手５が保持されているスライダー胴体１０に閉塞部材３０を組み付ける作業を行う。この作業では、先ず、図７に示すように、閉塞部材３０の前杆部３１ｃを前方に向けた姿勢で、同閉塞部材３０をスライダー胴体１０の後端部から凹溝１１ａ内に挿入する。更に、閉塞部材３０における本体部３１の下面（裏面）を凹溝１１ａの底面に摺接させるとともに、閉塞部材３０における本体部３１及び肩部３４の外側側面を凹溝１１ａの左右の側壁面に摺接させながら、同閉塞部材３０を前方へ押し込む。【００７９】
このとき、閉塞部材３０の前傾斜面３３ｃが引手取付杆２０の自由端部２３に当接し、更に、引手取付杆２０の自由端部２３が、閉塞部材３０の前傾斜面３３ｃに摺接しながら、閉塞部材３０に対して相対的に後方へ移動する。これにより、閉塞部材３０は前方へ移動しつつ、その隆起部３３が引手取付杆２０の自由端部２３によって下方へ押圧されて、同閉塞部材３０の弾性片部３２が下方に弾性変形するため、閉塞部材３０の隆起部３３を引手取付杆２０の自由端部２３の下側へ潜り込ませることができる。【００８０】
そして、閉塞部材３０が更に前進し、その隆起部３３の後端面３３ｂが引手取付杆２０の自由端部２３に形成した段差部２３ａの位置に到達したときに、自由端部２３による隆起部３３の押圧が解除されて、弾性片部３２が元の位置に弾性復帰する。これにより、図８に示すように、閉塞部材３０の隆起部３３が、段差部２３ａの前方側に形成される空間に入り込んで、同隆起部３３が自由端部２３の段差部２３ａに係止される。【００８１】
このように閉塞部材３０の隆起部３３が引手取付杆２０の自由端部２３に係止されることによって、閉塞部材３０がスライダー胴体１０に装着されて不動に固定される。このため、スライダー胴体１０に形成されている挿通間隙２５が閉塞部材３０によって閉塞された状態となり、スライダー胴体１０への引手５の取り付けが完了する。【００８２】
以上のような作業を行うことにより、引手取付杆２０が一体に形成されたスライダー胴体１０に対して引手５を後から取り付けて、本実施例１のスライダー１を容易に組み立てることができる。このため、例えば衣服や鞄のメーカー側で、所望のデザインを有する引手５をスライダー胴体１０に自由に取り付けることが可能となり、衣服や鞄のデザインの幅を大きく広げることができる。【００８３】
更に、上述のようにして組み立てられた本実施例１のスライダー１は、スライダー胴体１０に固定された閉塞部材３０の隆起部３３が引手取付杆２０の自由端部２３に係止されて、閉塞部材３０が不動に固定されている。更に、閉塞部材３０における弾性片部３２の弾性変形量が、上述のように、隆起部３３の上端面３３ａが引手取付杆２０の段差部２３ａの下端の高さ位置まで移動可能な大きさに規制されている。【００８４】
これにより、閉塞部材３０がスライダー胴体１０に固定されているときには、上翼板１１の上面と引手取付杆２０の自由端部２３との間の挿通間隙２５が閉塞部材３０によって閉鎖されている状態を安定して保持することができる。このため、スライダーの周辺部に偶然に存在した薄手の布片等のような他部材が、当該挿通間隙２５に侵入して挟み込まれることを確実に防ぐことができる。【００８５】
特に、本実施例１のスライダー１では、閉塞部材３０における左右一対の肩部３４が弾性片部３２を間に挟んで、且つ、弾性片部３２及び隆起部３３よりも上方及び後方に張り出して配されている。これにより、弾性片部３２及び隆起部３３を左右の肩部３４で保護できるため、薄手の布片のような他部材が、閉塞部材３０の弾性片部３２に対して外側から直接ぶつかることや、引手５の取付軸部５ｂが、閉塞部材３０の弾性片部３２及び隆起部３３に対して内側から直接ぶつかることを抑制できる。このため、閉塞部材３０の隆起部３３が引手取付杆２０の自由端部２３に係止されている状態を、より安定して保持でき、スライダー胴体１０に固定されている閉塞部材３０の不動状態を安定して維持することができる。【００８６】
従って、例えば本実施例１のスライダー１を使用してスライドファスナーを構成し、同スライドファスナーを衣類や鞄類等の製品に取り付けて使用する場合に、スライダー１に他部材が挟み込まれることに起因する不具合、例えば衣類や鞄類が他部材によって引っ張られたり、スライダー１の摺動操作が他部材によって妨げられたりする不具合が発生することを効果的に防止できる。【００８７】
なお、本実施例１のスライダー１において、引手取付杆２０に一旦取り付けられた引手５を取り外す場合には、図９に示すように、閉塞部材３０の弾性片部３２を押圧するための棒状の押圧部材７を用意し、同押圧部材７の一端を、弾性片部３２の後端部に形成した凹部３２ａに嵌入する。そして、押圧部材７で弾性片部３２を下方に押圧して同弾性片部３２を弾性変形させることにより、閉塞部材３０の隆起部３３を、引手取付杆２０の自由端部２３から抜脱して隆起部３３と自由端部２３の係止状態を解除する。【００８８】
更に、押圧部材７で弾性片部３２を押圧したまま閉塞部材３０を後方へ引き出すことにより、閉塞部材３０の隆起部３３が引手取付杆２０の自由端部２３を潜り抜けるため、閉塞部材３０をスライダー胴体１０の凹溝１１ａから容易に取り外して、上翼板１１の上面と引手取付杆２０の自由端部２３との間に配された挿通間隙２５を開口させることができる。その後、引手５の取付軸部５ｂを収容空間２４から、開口した挿通間隙２５を介して抜き出すことにより、引手５を容易に取り外すことができる。
【実施例２】
【００８９】
図１０は、本実施例２に係るスライドファスナー用スライダーの分解斜視図である。また、図１１は、同スライダーにおける閉塞部材を示す側面図であり、図１２は、同スライダーにおけるスライダー胴体及び引手取付杆の部分断面図である。
なお、本実施例２及び後述する実施例３のスライダーにおいて、前述の実施例１にて説明した部材又は部位と同様の構成を有するものについては、同じ符号を用いて表すことによってその説明を省略することとする。【００９０】
本実施例２のスライドファスナー用スライダー２は、スライダー胴体４０と、スライダー胴体４０に片持状に一体に形成された引手取付杆５０と、スライダー胴体４０に装着される閉塞部材６０と、引手取付杆５０に保持される引手５とを備えている。
同スライダー２におけるスライダー胴体４０は、互いに略平行に配された上下翼板４１，４２と、上下翼板４１，４２の前端部同士を連結する図示しない案内柱と、上翼板４１の左右側縁から下翼板４２に向けて上下方向に垂設されたフランジ４３とを有している。【００９１】
このスライダー胴体４０における上翼板４１の後端部の上面側には、段部４１ａが設けられており、この段部４１ａには、左右一対の突部４１ｂが突設されている。また、上翼板４１の左右方向の中央部には、閉塞部材６０を装着可能なアリ溝４１ｃが段部４１ａから前方に向けて形成されている。更に、上翼板４１の段部４１ａ及びアリ溝４１ｃが配されている部分には、閉塞部材６０の後述するガイド部６７を嵌入させるガイド溝４１ｄが、上翼板４１の後端から前方に向けて凹設されている。【００９２】
このスライダー胴体４０の上翼板４１に一体に形成された引手取付杆５０は、上翼板４１の前端部から起立する固定端部５１と、同固定端部５１から屈曲して後方に延びる延設部５２と、同延設部５２から上翼板４１側に屈曲して形成された自由端部５３とを有している。また、引手取付杆５０の延設部５２における下端縁と上翼板４１の上面との間には、引手５の取付軸部５ｂを収容する収容空間５４が形成されている。【００９３】
同引手取付杆５０の自由端部５３は、図１２に示すように、上翼板４１の上面との間に引手５の取付軸部５ｂを挿通させることが可能な挿通間隙５５が形成されるように配されている。また、引手取付杆５０における自由端部５３側の後端には切欠き部５３ａが設けられており、その切欠き部５３ａには、後方に向けて突出した突起部５３ｂが閉塞部材６０の固定部として配されている。この場合、突起部５３ｂは、自由端部５３から突出した円柱状の柱部５３ｃと、柱部５３ｃの先端に膨らむように配された係止頭部５３ｄとを有している。【００９４】
本実施例２における閉塞部材６０は、上翼板４１のアリ溝４１ｃに嵌入して装着される本体部６１と、本体部６１の前端から上方に延設された弾性片部６２と、弾性片部６２の先端部に穿設された孔部６３と、弾性片部６２の先端部から左右方向に延出した耳部６４と、本体部６１から後方に向けて二股に分岐して延設された左右一対の脚部６５と、各脚部６５の先端に互いに離間する方向に突出した突片部６６と、本体部６１の下面（裏面）に垂設されたガイド部６７とを有している。【００９５】
この閉塞部材６０における本体部６１は、上翼板４１に配したアリ溝４１ｃに嵌入可能なように平板状に形成されている。同閉塞部材６０における弾性片部６２は、略Ｓ字状に湾曲しており、上下方向に弾性変形可能に形成されている。この弾性片部６２に形成された孔部６３の直径の大きさは、突起部５３ｂにおける柱部５３ｃの直径よりも大きく、係止頭部５３ｄの最も大きい直径よりも小さく設定されている。【００９６】
また、同閉塞部材６０における左右の耳部６４は、弾性片部６２の先端部を指で摘み易くするために設けられている。同閉塞部材６０における左右一対の脚部６５は、先端に向けて脚部６５間の間隔が漸増するように前後方向に対して傾斜して配されており、且つ、左右方向（スライダー幅方向）に弾性変形可能に形成されている。なお、この場合、左右の脚部６５を内側に向けて弾性変形させ易くするために、脚部６５における本体部６１側の基端部の内側に所定の大きさのスリットを形成することも可能である。【００９７】
同閉塞部材６０における突片部６６は、上翼板４１に突設した突起部５３ｂよりも前方側の段部４１ａの領域に嵌まり込むことが可能な大きさに形成されている。また、同突片部６６は、その段部４１ａの領域に嵌まり込んだときに上翼板４１の突部４１ｂに係止されるように構成されている。同閉塞部材６０におけるガイド部６７は、前後方向に沿って形成されており、同ガイド部６７の幅寸法は、上翼板４１に凹設したガイド溝４１ｄの溝幅の大きさに合わせて設定されている。【００９８】
このような構成を有する本実施例２のスライダー２を組み立てる場合、先ず、スライダー胴体４０に閉塞部材６０を装着して仮固定する作業を行う。具体的には、図１３に示すように、閉塞部材６０をスライダー胴体４０の後方側から上翼板４１のアリ溝４１ｃに向けて挿入し、同閉塞部材６０の本体部６１をアリ溝４１ｃに嵌入させる。このとき、閉塞部材６０のガイド部６７を上翼板４１のガイド溝４１ｄに嵌入することにより、スライダー胴体４０に対する閉塞部材６０の位置決めを容易に行うことができる。【００９９】
更に、閉塞部材６０の本体部６１がアリ溝４１ｃに嵌入し、同閉塞部材６０における左右の脚部６５又は左右の突片部６６が上翼板４１の突部４１ｂに接触した後、図１４に示すように、閉塞部材６０の左右突片部６６を内側に向けて押圧して左右の脚部６５をスライダー幅方向に弾性変形させながら、閉塞部材６０を前方に向けて押し込む。【０１００】
これにより、図１５に示すように、閉塞部材６０が弾性片部６２の前端がアリ溝４１ｃの前端面に接触するまでアリ溝４１ｃ内に嵌入されるとともに、閉塞部材６０の突片部６６が上翼板４１の突部４１ｂに係止され、それによって、閉塞部材６０をスライダー胴体４０の上翼板４１に仮固定することができる。【０１０１】
続いて、閉塞部材６０が仮固定されたスライダー胴体４０の引手取付杆５０に引手５を保持させる作業を行う。この作業では、図１６に示すように、スライダー胴体４０に仮固定された閉塞部材６０の弾性片部６２を下方に押圧して同弾性片部６２を弾性変形させる。【０１０２】
これにより、上翼板４１の上面と引手取付杆５０の自由端部５３との間に、引手５の取付軸部５ｂが挿通可能な挿通間隙５５が開口する。そして、挿通間隙５５が開口した状態で、引手５の取付軸部５ｂを、スライダー胴体４０の後方側から挿通間隙５５を介して収容空間５４に導入することによって、スライダー胴体４０の引手取付杆５０に引手５が保持される。【０１０３】
引手５が引手取付杆５０に保持された後、閉塞部材６０の弾性片部６２を元の状態に弾性復帰させて、同弾性片部６２の先端部を引手取付杆５０の自由端部５３の後方側から接近させる。更に、引手取付杆５０の自由端部５３に形成した突起部５３ｂを、弾性片部６２の先端部に形成された孔部６３に嵌入させる。【０１０４】
これにより、図１７に示すように、弾性片部６２の先端部が引手取付杆５０の自由端部５３に固定されるため、閉塞部材６０がスライダー胴体４０に対して不動に固定されるとともに、挿通間隙５５が閉塞部材６０によって閉塞された状態となる。これによって、スライダー胴体４０への引手５の取り付けが完了する。【０１０５】
このとき、閉塞部材６０の本体部６１が上翼板４１のアリ溝４１ｃに嵌着しているとともに、弾性片部６２の先端部が引手取付杆５０の自由端部５３に固定されているため、同閉塞部材６０における弾性片部６２の上下方向の弾性変形が規制される。これによって、挿通間隙５５が閉塞部材６０によって閉鎖されている状態を安定して保持することができる。【０１０６】
以上のように、本実施例２のスライダー２は、スライダー胴体４０に引手５を後から容易に取り付けることができる。特に本実施例２のスライダー２では、スライダー胴体４０に閉塞部材６０を仮固定した後に、引手５の取り付けを行うことができる。【０１０７】
このため、例えばスライダー胴体４０に閉塞部材６０を仮固定した状態のスライダーを衣服や鞄のメーカー側に引き渡すことによって、衣服や鞄のメーカー側で、所望のデザインを有する引手５をスライダー胴体４０に自由に取り付けることが可能となる。しかも、スライダー胴体４０に閉塞部材６０が仮固定されているため、スライダー胴体４０に装着する閉塞部材６０の紛失を防止でき、スライダー胴体４０及び閉塞部材６０の部品管理を容易に行うことができる。【０１０８】
更に、本実施例２のスライダー２では、閉塞部材６０における弾性片部６２の先端部が引手取付杆５０の自由端部５３に固定されることにより、弾性片部６２の上下方向の弾性変形が規制されて、挿通間隙５５の閉鎖状態を安定して保持することができる。このため、薄手の布片のような他部材が、当該挿通間隙５５に挿入されて挟み込まれることを確実に防ぐことができる。【０１０９】
従って、例えば本実施例２のスライダー２を使用してスライドファスナーを構成し、同スライドファスナーを衣類や鞄類等の製品に取り付けて使用する場合に、スライダー２に他部材が挟み込まれることに起因する従来の不具合が発生することを効果的に防止できる。【０１１０】
なお、本実施例２のスライダー２において、引手取付杆５０に一旦取り付けられた引手５を取り外す場合には、引手取付杆５０の自由端部５３に固定されている弾性片部６２の先端部を後方側に引っ張り、弾性片部６２の先端部に形成した孔部６３から、引手取付杆５０の自由端部５３に形成した突起部５３ｂを抜脱させる。これにより、引手取付杆５０の自由端部５３に弾性片部６２が係止されている状態が解除される。【０１１１】
その後、閉塞部材６０の弾性片部６２を下方に押圧して同弾性片部６２を弾性変形させることにより挿通間隙５５を開口させる。そして、引手５の取付軸部５ｂを、開口した挿通間隙５５を介して収容空間５４から抜き出すことにより、引手５を容易に取り外すことができる。
【実施例３】
【０１１２】
図１８は、本実施例３に係るスライドファスナー用スライダーにおける閉塞部材を示す斜視図であり、図１９は、引手が引手取付杆に取り付けられ、閉塞部材がスライダー胴体に装着されて固定された状態を示す部分断面図である。【０１１３】
本実施例３のスライドファスナー用スライダー３は、スライダー胴体７０と、スライダー胴体７０に片持状に一体に形成された引手取付杆８０と、スライダー胴体７０に装着される閉塞部材９０と、引手取付杆８０に保持される引手５とを備えている。【０１１４】
同スライダー３におけるスライダー胴体７０は、互いに略平行に配された上翼板７１及び図示しない下翼板と、上下翼板７１の前端部同士を連結する図示しない案内柱と、上翼板７１の左右側縁から下翼板に向けて上下方向に垂設された図示しないフランジとを有している。【０１１５】
このスライダー胴体７０における上翼板７１の後端部の上面側には、段部７１ａが設けられており、この段部７１ａには、左右一対の突部７１ｂが突設されている。また、上翼板７１の左右方向の中央部には、閉塞部材９０を装着可能なアリ溝７１ｃが段部７１ａから前方に向けて形成されている。更に、上翼板７１の段部７１ａ及びアリ溝７１ｃが配されている部分には、閉塞部材９０の後述するガイド部９７を嵌入させるガイド溝７１ｄが上翼板７１の後端から前方に向けて凹設されている。【０１１６】
このスライダー胴体７０に一体に形成された引手取付杆８０は、上翼板７１の前端部から起立する固定端部８１と、同固定端部８１から屈曲して後方に延びる延設部８２と、同延設部８２から上翼板７１側に屈曲して形成された自由端部８３とを有している。【０１１７】
また、引手取付杆８０の延設部８２における下端縁と上翼板７１の上面との間には、引手５の取付軸部５ｂを収容する収容空間８４が形成されている。更に、引手取付杆８０の自由端部８３は、上翼板７１の上面との間に引手５の取付軸部５ｂを挿通させることが可能な挿通間隙８５が形成されるように配されている。【０１１８】
本実施例３における閉塞部材９０は、上翼板７１のアリ溝７１ｃに嵌入して装着される本体部９１と、本体部９１に立設された閉塞部９２と、本体部９１から後方に向けて二股に分岐して延設された左右一対の脚部９５と、各脚部９５の先端に互いに離間する方向に突出した突片部９６と、本体部９１の下面に垂設されたガイド部９７とを有している。【０１１９】
この閉塞部材９０における本体部９１は、上翼板７１に配したアリ溝７１ｃに嵌入可能なように平板状に形成されている。同閉塞部材９０における閉塞部９２は、略直方体状に形成されている。この場合、閉塞部９２の高さ寸法は、閉塞部材９０がスライダー胴体７０に固定されたときに、閉塞部９２の上面が引手取付杆８０の自由端部８３に接触する大きさに設定されている。【０１２０】
同閉塞部材９０における左右一対の脚部９５は、先端に向けて脚部９５間の間隔が漸増するように前後方向に対して傾斜して配されており、且つ、左右方向（スライダー幅方向）に弾性変形可能に形成されている。またこの場合、前述の実施例２と同様に、左右の脚部９５を内側に向けて弾性変形させ易くするために、脚部９５における本体部９１側の基端部の内側に所定の大きさのスリットを形成することも可能である。【０１２１】
同閉塞部材９０における突片部９６は、上翼板７１に突設した突起部５３ｂよりも前方側の段部７１ａの領域に嵌まり込むことが可能な大きさに形成されている。また、同突片部９６は、その段部７１ａの領域に嵌まり込んだときに上翼板７１の突部７１ｂに係止されるように構成されている。同閉塞部材９０におけるガイド部９７は、前後方向に沿って形成されており、同ガイド部９７の幅寸法は、上翼板７１に凹設したガイド溝７１ｄの溝幅の大きさに合わせて設定されている。【０１２２】
このような構成を有する本実施例３のスライダー３を組み立てる場合、先ず、スライダー胴体７０の引手取付杆８０に引手５を保持させる作業を行う。具体的には、前述の実施例１と同様に、引手５の取付軸部５ｂを、スライダー胴体７０の後方側から、上翼板７１の上面と引手取付杆８０の自由端部８３との間の挿通間隙８５を介して収容空間８４に導入する。これにより、引手取付杆８０に引手５が保持される。【０１２３】
次に、スライダー胴体７０に閉塞部材９０を装着して固定する作業を行う。この作業では、閉塞部材９０をスライダー胴体７０の後方側から上翼板７１のアリ溝７１ｃに向けて挿入し、同閉塞部材９０の本体部９１をアリ溝７１ｃに嵌入させる。このとき、閉塞部材９０のガイド部９７を上翼板７１のガイド溝７１ｄに嵌入することにより、スライダー胴体７０に対する閉塞部材９０の位置決めを容易に行うことができる。【０１２４】
更に、閉塞部材９０の本体部９１をアリ溝７１ｃに嵌入させた後、閉塞部材９０の左右突片部９６を内側に向けて押圧することにより左右の脚部９５をスライダー幅方向に弾性変形させながら、閉塞部材９０を前方に向けて押し込む。これにより、図１９に示すように、閉塞部材９０の突片部９６が上翼板７１の突部７１ｂに係止されるため、閉塞部材９０がスライダー胴体７０の上翼板７１に不動に固定されるとともに、挿通間隙８５が閉塞部材９０の閉塞部９２により閉塞されて、スライダー胴体７０への引手５の取り付けが完了する。【０１２５】
このように閉塞部材９０がスライダー胴体７０に不動に固定された本実施例３のスライダー３では、閉塞部材９０の本体部９１が上翼板７１のアリ溝７１ｃに嵌着しているとともに、閉塞部材９０における閉塞部９２の上面が引手取付杆８０の自由端部８３に完全に接触しているため、挿通間隙８５が閉塞部材９０によって閉鎖されている状態を安定して保持することができる。【０１２６】
以上のように、本実施例３のスライダー３は、スライダー胴体７０に引手５を後から容易に取り付けることができる。更に、同スライダー３は、スライダー胴体７０に固定された閉塞部材９０の閉塞部９２によって、挿通間隙８５の閉塞状態を安定して保持できるため、薄手の布片のような他部材が挿通間隙８５に侵入して挟み込まれることを確実に防ぐことができる。
【符号の説明】
【０１２７】
１                スライダー
２                スライダー
３                スライダー
５                引手
５ａ              引手本体部
５ｂ              取付軸部
７                押圧部材
１０                スライダー胴体
１１                上翼板
１１ａ              凹溝
１２                下翼板
１３                フランジ
１４                エレメント案内路
２０                引手取付杆
２１                固定端部
２２                延設部
２３                自由端部
２３ａ              段差部
２３ｂ              面取り部
２４                収容空間
２５                挿通間隙
３０                閉塞部材
３１                本体部
３１ａ              左の側杆部
３１ｂ              右の側杆部
３１ｃ              前杆部
３２                弾性片部
３２ａ              凹部
３３                隆起部
３３ａ              上端面
３３ｂ              後端面
３３ｃ              前傾斜面
３４                肩部
４０                スライダー胴体
４１                上翼板
４１ａ              段部
４１ｂ              突部
４１ｃ              アリ溝
４１ｄ              ガイド溝
４２                下翼板
４３                フランジ
５０                引手取付杆
５１                固定端部
５２                延設部
５３                自由端部
５３ａ              切欠き部
５３ｂ              突起部
５３ｃ              柱部
５３ｄ              係止頭部
５４                収容空間
５５                挿通間隙
６０                閉塞部材
６１                本体部
６２                弾性片部
６３                孔部
６４                耳部
６５                脚部
６６                突片部
６７                ガイド部
７０                スライダー胴体
７１                上翼板
７１ａ              段部
７１ｂ              突部
７１ｃ              アリ溝
７１ｄ              ガイド溝
８０                引手取付杆
８１                固定端部
８２                延設部
８３                自由端部
８４                収容空間
８５                挿通間隙
９０                閉塞部材
９１                本体部
９２                閉塞部
９５                脚部
９６                突片部
９７                ガイド部
【図１】
0005450659.tif 000002
【図２】
0005450659.tif 000003
【図３】
0005450659.tif 000004
【図４】
0005450659.tif 000005
【図５】
0005450659.tif 000006
【図６】
0005450659.tif 000007
【図７】
0005450659.tif 000008
【図８】
0005450659.tif 000009
【図９】
0005450659.tif 000010
【図１０】
0005450659.tif 000011
【図１１】
0005450659.tif 000012
【図１２】
0005450659.tif 000013
【図１３】
0005450659.tif 000014
【図１４】
0005450659.tif 000015
【図１５】
0005450659.tif 000016
【図１６】
0005450659.tif 000017
【図１７】
0005450659.tif 000018
【図１８】
0005450659.tif 000019
【図１９】
0005450659.tif 000020
【図２０】
0005450659.tif 000021